(57)【要約】【課題】製造コストの低減を図りつつ、人の皮膚を対象とした貼り付けと引き剥がしを良好に行うことができ、かつ、付与された装飾の形状を良好に保持しうる装飾用シートを提供すること。【解決手段】本発明では、人の皮膚に貼り付けて使用される装飾用シートにおいて、所定の剛性を有し、装飾の付与が可能な装飾面を有する単一の樹脂層と、前記樹脂層の装飾面と反対側の面に付着されて、前記人の皮膚に前記樹脂層を着脱可能に固定する粘着層とを備えるようにした。【選択図】  図１
2018201679.tif 000002
【特許請求の範囲】
【請求項１】
人の皮膚に貼り付けて使用される装飾用シートにおいて、
所定の剛性を有し、装飾の付与が可能な装飾面を有する単一の樹脂層と、
前記樹脂層の装飾面と反対側の面に付着されて、前記人の皮膚に前記樹脂層を着脱可能に固定する粘着層と、
を備えることを特徴とする装飾用シート。
【請求項２】
前記樹脂層の装飾面は、易接着処理が施されていることを特徴とする請求項１に記載の装飾用シート。
【請求項３】
前記樹脂層の装飾面は、装飾を保持しうる装飾用粘着層を備えることを特徴とする請求項１に記載の装飾用シート。
【請求項４】
前記装飾用粘着層は、両面に粘着剤が塗布された不織布材が前記樹脂層に固定されて形成されることを特徴とする請求項３に記載の装飾用シート。
【請求項５】
前記樹脂層は、オレフィン系樹脂、スチレン系樹脂、ポリウレタン系樹脂、ポリスチレン系樹脂、ポリエステル系樹脂、アクリル系樹脂、ビニル系樹脂、及びナイロン系樹脂の中から選択される１種を含み、
前記粘着層は、シリコーン系粘着剤、ウレタン系粘着剤、アクリル系粘着剤の中から選択される１種、又は、ゲル化剤を用いて固化された粘着剤を含むことを特徴とする請求項１ないし請求項４の何れか１項に記載の装飾用シート。
【請求項６】
前記樹脂層の厚さ寸法は、７５μｍから２００μｍの範囲で設定され、
前記粘着層の厚さ寸法は、７５μｍから１５０μｍの範囲で設定され、
前記樹脂層の厚さ寸法と前記粘着層の厚さ寸法の和は、１５０μｍから３５０μｍの範囲で設定されることを特徴とする請求項１ないし請求項５の何れか１項に記載の装飾用シート。
【発明の詳細な説明】
【技術分野】
【０００１】
本発明は、装飾技術に関するもので、特に人の皮膚に貼り付けて使用される装飾用シートに関する。
【背景技術】
【０００２】
従来、装飾用シートとして、人の皮膚を対象とした貼り付けと引き剥がしを良好に行えるように、装飾用シートを構成する樹脂層の厚さ寸法ならびに粘着層の厚さ寸法及び粘着力が設定された装飾用シートが提案されている（特許文献１）。
【０００３】
特許文献１に記載の装飾用シートは、この装飾用シートに付与された装飾の形状を良好に保持して使用できるよう、第１の樹脂基板と第２の樹脂基板を備えており、各樹脂基板は、形状の保持を担う樹脂層、及び樹脂層同士を互いに接着したり人の皮膚に装飾用シートを張り付けたりするための粘着層を有している。
【先行技術文献】
【特許文献】
【０００４】
【特許文献１】特開２０１５‐１９２７２３号公報
【発明の概要】
【発明が解決しようとする課題】
【０００５】
特許文献１の装飾用シートによれば、人の皮膚を対象とした貼り付けと引き剥がしを良好に行えるし、装飾用シートに付与された装飾の形状を良好に保持して使用できる。
しかし、装飾用シートの形状を保持するために必要となる第１の樹脂基板と第２の樹脂基板を空気の取り込みや伸縮変形を抑えながら貼り合せることが必要となり、製造作業が煩雑となり製造コストが増加する点が問題となっている。
【０００６】
本発明は上記事情に鑑みてなされたもので、製造コストの低減を図りつつ、人の皮膚を対象とした貼り付けと引き剥がしを良好に行うことができ、かつ、付与された装飾の形状を良好に保持しうる装飾用シートを提供することを課題とする。
【課題を解決するための手段】
【０００７】
上述した目的を達成するため、請求項１に記載の発明は、人の皮膚に貼り付けて使用される装飾用シートにおいて、所定の剛性を有し、装飾の付与が可能な装飾面を有する単一の樹脂層と、前記樹脂層の装飾面と反対側の面に付着されて、前記人の皮膚に前記樹脂層を着脱可能に固定する粘着層とを備えることを特徴とする。
【０００８】
請求項１に記載の装飾用シートは、所定の剛性を有する樹脂層を備えていることから、人の皮膚に貼りつける際及び人の皮膚に貼りつけた使用時の装飾用シートの変形が制限される。
また、請求項１に記載の装飾用シートは、粘着層を備えた構成であることから、液状接着剤と異なり接着面での固着がない。
また、請求項１に記載の装飾用シートは、樹脂層の煩雑な貼り合せの工程を用いることなく製造される。
【０００９】
請求項２に記載の発明は、請求項１の構成に加えて、前記樹脂層の装飾面は、易接着処理が施されていることを特徴とする。
【００１０】
請求項２に記載の発明は、請求項１に記載の構成に加えて、前記樹脂層の装飾面は、易接着処理が施されていることを特徴とする。
請求項２に記載の装飾用シートの樹脂層の装飾面に易接着処理が施されているため、接着剤やインクなどの定着が良好になる。
【００１１】
請求項３に記載の発明は、請求項１の構成に加えて、前記樹脂層の装飾面は、装飾を保持しうる装飾用粘着層を備えることを特徴とする。
請求項３に記載の装飾用シートは、樹脂層の装飾面に装飾用粘着層が設けられるため、使用者等が粘着剤等を塗布することなく装飾部材を取り付けることができる。
【００１２】
請求項４に記載の発明は、請求項３の構成に加えて、前記装飾用粘着層は、両面に粘着剤が塗布された不織布材が前記樹脂層に固定されて形成されることを特徴とする。
請求項４に記載の装飾用シートの装飾用粘着層は、樹脂と比較して伸縮性の小さい不織布材を有するものであり、装飾用粘着層は樹脂層に比べて伸縮変形が小さいため、装飾用粘着層を樹脂層に貼り合せる際に伸縮変形を抑えるなどの煩雑な作業が抑えられる。
また、請求項４に記載の装飾用シートの装飾用粘着層は不織布材を有するため、樹脂層のみの場合と比較して装飾用シートの全体としての伸縮性が制限される。
【００１３】
請求項５に記載の発明は、請求項１ないし請求項４の何れか１項に記載の構成に加えて、前記樹脂層は、オレフィン系樹脂、スチレン系樹脂、ポリウレタン系樹脂、ポリスチレン系樹脂、ポリエステル系樹脂、アクリル系樹脂、ビニル系樹脂、及びナイロン系樹脂の中から選択される１種を含み、前記粘着層は、シリコーン系粘着剤、ウレタン系粘着剤、アクリル系粘着剤の中から選択される１種、又は、ゲル化剤を用いて固化された粘着剤を含むことを特徴とする。
【００１４】
請求項６に記載の発明は、請求項１ないし請求項５の何れか１項に記載の構成に加えて、前記樹脂層の厚さ寸法は、７５μｍから２００μｍの範囲で設定され、前記粘着層の厚さ寸法は、７５μｍから１５０μｍの範囲で設定され、前記樹脂層の厚さ寸法と前記粘着層の厚さ寸法の和は、１５０μｍから３５０μｍの範囲で設定されることを特徴とする。
【発明の効果】
【００１５】
請求項１に記載の発明は、装飾用シートの変形が制限されるため、装飾用シートに付与されたインクによる文字や図柄、ラインストーンやいわゆるグリッターによるデザインの形状を良好に保持しうる。
【００１６】
また、請求項１に記載の装飾用シートは、接着面で固着しない粘着性を利用しているため、人の皮膚を対象とした引き剥がしを容易に行える。また、皮膚から引き剥がした後も粘着層の粘着性を維持しうる。
【００１７】
また、請求項１に記載の装飾用シートは、従来技術におけるような樹脂層の煩雑な貼り合せの工程を必要としないため、製造コストを低減できる。
【００１８】
従って、請求項１に記載の装飾用シートによれば、製造コストの低減を図りつつ、人の皮膚を対象とした貼り付けと引き剥がしを良好に行うことができ、かつ、付与された装飾の形状を良好に保持しうる。
【００１９】
請求項２に記載の発明によれば、請求項１の効果に加えて、接着剤やインクなどの定着が良好であることで、例えば、液状接着剤で模様ラインを描き、その上に色のついた粉末（グリッター）などを吹き付けるなどして繊細なデザインを形成可能となる。液状接着剤が乾燥しない間に付着したグリッターを薄く引き伸ばすなどして色の濃淡（グラデーション）も形成可能となる。
【００２０】
請求項３に記載の発明によれば、請求項１の効果に加えて、使用者等が粘着剤等を塗布することなく装飾部材を取り付けることができるため、装飾用シートの使用時の利便性が向上する。
【００２１】
請求項４に記載の発明によれば、請求項３の効果に加えて、樹脂層のみの場合と比較して装飾用シートの全体としての伸縮性が制限されることから、装飾用シートの形状を一層良好に保持しうる。
【００２２】
請求項５に記載の発明によれば、請求項１ないし請求項４の何れか１項に記載の効果を奏する装飾用シートの実現が容易となる。
【００２３】
請求項６に記載の発明によれば、適度な伸縮性を有する厚さ寸法により、装飾用シートの貼り付け部位の身動き制限を抑えつつ装飾用シートの形状の良好な保持が可能となる。
【図面の簡単な説明】
【００２４】
【図１】図１は本発明に係る装飾用シートの第１実施形態を示す図であり、装飾用シートの縦断面図である。
【図２】図２は第１実施形態の装飾用シートの使用例を示す図であり、装飾が付与された装飾用シートの平面図である。
【図３】図３は本発明に係る装飾用シートの第２実施形態を示す図であり、装飾用シートの縦断面図である。
【図４】図４は第２実施形態の装飾用シートの使用例を示す図であり、装飾が付与された装飾用シートの平面図である。
【発明を実施するための形態】
【００２５】
添付図面を参照して、本発明に係る装飾用シートの第１実施形態を詳細に説明する。
本実施形態の装飾用シートは、人の皮膚に貼り付けて身体を装飾するために用いられるものであり、図１に示すように、装飾の付与が可能な装飾面１１を有する単一の樹脂層１２、及び、樹脂層１２の装飾面１１と反対側の面に付着されて、図示しない人の皮膚に対して樹脂層１２を着脱可能に固定する粘着層１３を備えたものである。
【００２６】
樹脂層１２は、装飾用シート１０の適度な柔軟性と剛性を確保する主要な部材となっており、適度な柔軟性及び所定の剛性を有し透明度の高いポリウレタン系樹脂を用いたエラストマーにより構成されている。
【００２７】
柔軟性は、装飾用シート１０を皮膚に張り付けた状態で使用者の動きに追従して広がり使用者の動きを制限することなく、また、装飾用シート１０の変形によって装飾用シート１０が皮膚から脱落することを防止するために確保される。
【００２８】
剛性は、樹脂層１２の装飾面１１に付与された装飾（文字や図柄等）の本来の形状を保持して皮膚に貼り付けることができ、また、皮膚への貼り付けと引き剥がしを１０回以上繰り返しても破れない程度に確保される。
【００２９】
樹脂層１２にあっては、上述の柔軟性と剛性を確保する観点から、２００μｍの厚さ寸法が設定されている。樹脂層１２は、厚さ寸法２ｍｍの試験片を用いたＪＩＳ
Ｋ７３１１に基づく試験値で、硬度８０〜９８（ＪＩＳ Ａ）、引張強度３５〜６０ＭＰａ、伸び３００〜７００％であることが、上述の柔軟性と剛性の観点から好ましい。特に、樹脂層１２は、厚さ寸法２ｍｍの試験片を用いたＪＩＳ
Ｋ７３１１に基づく試験値で、硬度９２（ＪＩＳ Ａ）、引張強度５０ＭＰａ、伸び５００％であることが好ましい。
【００３０】
樹脂層１２の装飾面１１は、樹脂層１２のそれ自体と比較して印刷用インクや液状接着剤をはじきにくい表面処理が易接着処理として施されている。
【００３１】
装飾用シート１０の粘着層１３は、シリコーン系樹脂から成り、皮膚に対する１０回以上の張り付けと引き剥がしの操作を繰り返すことが可能な持続性を有するものが用いられている。
【００３２】
粘着層１３は、樹脂層１２の装飾面１１と反対側の面に設けられており、装飾用シート１０を皮膚に着脱可能に固定するための皮膚貼付面１４が形成されている。
【００３３】
装飾用シート１０は、図１に示すように、粘着層１３への貼り付け又はその引き剥がしが可能な内側剥離紙１５と共に使用される。内側剥離紙１５は、装飾用シート１０を使用しないときに、粘着層１３の皮膚貼付面１４に貼り付けられる。内側剥離紙１５により、皮膚貼付面１４への埃などの付着が防止され、皮膚貼付面１４の粘着力が維持される。
【００３４】
図２は第１実施形態の装飾用シート１０の使用例を示す図であり、装飾が付与された装飾用シート１０の平面図である。
図２に示す「Ａ」の装飾文字１７は、以下のようにして形成される。
【００３５】
先ず、装飾用シート１０の装飾面１１に液状の接着剤を用いて、「Ａ」の形状の装飾ライン１６を描く。
次いで、装飾面１１上に形成された「Ａ」の装飾ライン１６を含む領域に色の付いた小さな粉末であるグリッター２６を載せる。
【００３６】
このとき、グリッター２６は、「Ａ」の装飾ライン１６に沿って付着するが、装飾ライン１６が形成されていない領域には付着しない。接着剤が乾燥すると、装飾ライン１６にのみグリッター２６が定着し、図２の「Ａ」の装飾文字１７が完成する。
【００３７】
最後に、粘着層１３から図１に示す内側剥離紙１５を引き剥がして、装飾用シート１０（樹脂層１２）を皮膚に貼りつける。このとき、装飾用シート１０は樹脂層１２が所定の剛性を有しているため、装飾用シート１０を皮膚に張り付ける際の変形が制限され、皮膚に張り付けた状態の装飾文字１７と皮膚に張り付ける前の装飾文字１７との同一性を保ちうる。
【００３８】
次に効果を説明する。
本実施形態の装飾用シート１０は、所定の剛性を有する樹脂層１２を備えていることから、装飾用シート１０の変形が制限される。従って、装飾用シート１０に付与されたグリッター２６による装飾文字１７の形状を良好に保持し使用できる。
【００３９】
また、装飾用シート１０は、粘着層１３を備えた構成であることから、液状接着剤と異なり接着面での固着がない。従って、人の皮膚を対象とした引き剥がしを容易に行える。また、皮膚から引き剥がした後も粘着層１３の粘着性を維持しうる。
また、装飾用シート１０は、単一の樹脂層１２のみ備えた構成であり、樹脂層１２の煩雑な貼り合せの工程を用いることなく製造されるものである。従って、従来の装飾用シートのように樹脂層の煩雑な貼り合せの工程を必要とせず、製造コストを低減できる。
【００４０】
さらに、装飾用シート１０の樹脂層１２は、透明度の高いポリウレタン系樹脂を用いて構成されているため、図２に示すような装飾文字１７の周囲を残した四角形状の状態で皮膚に貼り付けたとしても、樹脂層１２は目立たず自然な見栄えとなる。
【００４１】
（第２実施形態）
図３は本発明に係る装飾用シートの第２実施形態を示す図であり、装飾用シートの縦断面図である。第１実施形態の装飾用シート１０と同様の構成については、同一の符号を付して説明を省略する。
【００４２】
本実施形態の装飾用シート３０における樹脂層１２の装飾面１１に、装飾を保持しうる装飾用粘着層１８が設けられている。
装飾用粘着層１８は、樹脂よりも剛性の大きい不織布材１９を有し、不織布材１９の裏面において不織布材１９を樹脂層１２に貼り付けて固定する内側粘着剤２０と、不織布材１９の表面において装飾を保持可能な外側粘着剤２１とが塗布されて構成されている。内側粘着剤２０及び外側粘着剤２１は、何れもアクリル系樹脂から成る。
【００４３】
装飾用粘着層１８の外側粘着剤２１は、色が付された数ミリメートルから１センチメートル程度の樹脂粒であるラインストーンなどを保持しうる粘着力を有しており、装飾保持面２２を形成している。
【００４４】
装飾用シート３０を使用しないとき、装飾用粘着層１８の装飾保持面２２に外側剥離紙２３が貼り付けられている。この外側剥離紙２３により、装飾保持面２２への埃などの付着が防止され、装飾保持面２２の粘着力が維持される。装飾用粘着層１８として、公知の両面テープを用いることができる。
【００４５】
図４は第２実施形態の装飾用シートの使用例を示す図であり、装飾が付与された装飾用シートの平面図である。
図４に示す「Ｂ」の装飾文字２５は、以下のようにして形成される。
【００４６】
先ず、装飾用粘着層１８に貼り付けられた外側剥離紙２３を引き剥がし、装飾保持面２２を表出させる。表出した装飾用粘着層１８の装飾保持面２２に色と大きさの異なる種々のラインストーン２４を「Ｂ」の形状に配置する。配置されたラインストーン２４は、装飾保持面２２の粘着力により保持される。
【００４７】
次いで、ラインストーン２４が配置されても未だ表出して視認されうる装飾保持面２２の随所に、糊殺しや外観品質の向上のためにグリッター２６を載せる。グリッター２６は、装飾保持面２２の粘着力により定着する。
【００４８】
最後に、ラインストーン２４で形成された「Ｂ」の文字を刳り貫くようにして、装飾用シート３０を切り取ることにより、図４に示す「Ｂ」の装飾文字２５が完成する。
このように作成された装飾用シート３０の粘着層１３から図３に示す内側剥離紙１５を引き剥がし、装飾用シート３０を皮膚に貼りつける。
【００４９】
次に効果を説明する。
本実施形態の装飾用シート３０は、所定の剛性を有する樹脂層１２に加えて、樹脂層１２よりも伸縮性の低い不織布材１９を有している。このため、装飾用シート３０は、第１実施形態の装飾用シート１０に比べて、特に面方向の剛性が高い。従って、装飾用シート３０は、第１実施形態の装飾用シート１０に比べて、装飾文字２５の形状を良好に保持しながら人の皮膚に貼りつけ、また、良好な状態を維持して繰り返しの使用が可能となる。
【００５０】
また、装飾用粘着層１８を備えているため、接着剤や粘着剤を別途塗布することなく、装飾用粘着層１８から外側剥離紙２３を引き剥がすのみで、装飾文字２５を形成することができ、使用時の利便性が高いものとなる。
【００５１】
以上、本発明に係る装飾用シートを第１実施形態及び第２実施形態に基づき説明してきたが、具体的な構成については、本実施形態に限られるものではなく、特許請求の範囲に記載の発明の要旨を逸脱しない限り変更や追加等は許容される。
【００５２】
例えば、各実施形態の装飾用シートの樹脂層は、ポリウレタン系樹脂を用いて構成する例を示したが、樹脂層は、オレフィン系樹脂、スチレン系樹脂、ポリスチレン系樹脂、ポリエステル系樹脂、アクリル系樹脂、ビニル系樹脂、及びナイロン系樹脂などから構成されるエラストマーであればよい。
【００５３】
また、各実施形態の装飾用シートの粘着層は、シリコーン系粘着剤で構成する例を示したが、ウレタン系粘着剤、アクリル系粘着剤の中から選択しうるし、水又はオイルが基材となりゲル化剤を用いて粘性が高められた粘着剤も選択しうる。
【００５４】
第２実施形態の内側粘着剤及び外側粘着剤は、何れもアクリル系樹脂で構成する例を示したが、ゴム系粘着剤を適用してもよい。
【００５５】
装飾用シートの変形制限や使用者の動きやすさ等の観点から、樹脂層の厚さ寸法は、７５μｍから２００μｍの範囲とし、粘着層の厚さ寸法は、７５μｍから１５０μｍの範囲とし、樹脂層の厚さ寸法と粘着層の厚さ寸法の和は、１５０μｍから３５０μｍの範囲とするのが好ましい。
【００５６】
各実施形態では装飾として文字を付す例を示したが、勿論、動植物の形状や模様など、文字以外の装飾を形成することもできる。
【産業上の利用可能性】
【００５７】
本発明は、人の皮膚に貼り付けて使用される装飾用シートであれば広く適用できる。
【符号の説明】
【００５８】
１０，３０  装飾用シート
１１  装飾面
１２  樹脂層
１３  粘着層
１４  皮膚貼付面
１５  内側剥離紙
１６  装飾ライン
１７，２５  装飾文字
１８  装飾用粘着層
１９  不織布材
２０  内側粘着剤
２１  外側粘着剤
２２  装飾物保持面
２３  外側剥離紙
２４  ラインストーン
２６  グリッター
【図１】
2018201679.tif 000003
【図２】
2018201679.tif 000004
【図３】
2018201679.tif 000005
【図４】
2018201679.tif 000006
【手続補正書】
【提出日】平成29年11月24日(2017.11.24)
【手続補正１】
【補正対象書類名】明細書
【補正対象項目名】全文
【補正方法】変更
【補正の内容】
【発明の詳細な説明】
【技術分野】
【０００１】
本発明は、装飾技術に関するもので、特に人の皮膚に貼り付けて使用される装飾用シートに関する。
【背景技術】
【０００２】
従来、装飾用シートとして、人の皮膚を対象とした貼り付けと引き剥がしを良好に行えるように、装飾用シートを構成する樹脂層の厚さ寸法ならびに粘着層の厚さ寸法及び粘着力が設定された装飾用シートが提案されている（特許文献１）。
【０００３】
特許文献１に記載の装飾用シートは、この装飾用シートに付与された装飾の形状を良好に保持して使用できるよう、第１の樹脂基板と第２の樹脂基板を備えており、各樹脂基板は、形状の保持を担う樹脂層、及び樹脂層同士を互いに接着したり人の皮膚に装飾用シートを張り付けたりするための粘着層を有している。
【先行技術文献】
【特許文献】
【０００４】
【特許文献１】特開２０１５‐１９２７２３号公報
【発明の概要】
【発明が解決しようとする課題】
【０００５】
特許文献１の装飾用シートによれば、人の皮膚を対象とした貼り付けと引き剥がしを良好に行えるし、装飾用シートに付与された装飾の形状を良好に保持して使用できる。
しかし、装飾用シートの形状を保持するために必要となる第１の樹脂基板と第２の樹脂基板を空気の取り込みや伸縮変形を抑えながら貼り合せることが必要となり、製造作業が煩雑となり製造コストが増加する点が問題となっている。
【０００６】
本発明は上記事情に鑑みてなされたもので、製造コストの低減を図りつつ、人の皮膚を対象とした貼り付けと引き剥がしを良好に行うことができ、かつ、付与された装飾の形状を良好に保持しうる装飾用シートを提供することを課題とする。
【課題を解決するための手段】
【０００７】
上述した目的を達成するため、請求項１に記載の発明は、人の皮膚に貼り付けて使用される装飾用シートにおいて、所定の剛性を有し、装飾の付与が可能な装飾面を有する単一の樹脂層と、前記樹脂層の装飾面と反対側の面に付着されて、前記人の皮膚に前記樹脂層を着脱可能に固定する粘着層とを備えることを特徴とする。
【０００８】
請求項１に記載の装飾用シートは、所定の剛性を有する樹脂層を備えていることから、人の皮膚（例えば顔の皮膚）に貼りつける際及び人の皮膚に貼りつけた使用時の装飾用シートの変形が制限される。
また、請求項１に記載の装飾用シートは、粘着層を備えた構成であることから、液状接着剤と異なり接着面での固着がない。
また、請求項１に記載の装飾用シートは、樹脂層の煩雑な貼り合せの工程を用いることなく製造される。
【０００９】
請求項２に記載の発明は、請求項１の構成に加えて、前記樹脂層の装飾面は、易接着処理が施されていることを特徴とする。
【００１０】
請求項２に記載の発明は、請求項１に記載の構成に加えて、前記樹脂層の装飾面は、易接着処理が施されていることを特徴とする。
請求項２に記載の装飾用シートの樹脂層の装飾面に易接着処理が施されているため、接着剤やインクなどの定着が良好になる。
【００１１】
請求項３に記載の発明は、請求項１の構成に加えて、前記樹脂層の装飾面は、装飾を保持しうる装飾用粘着層を備えることを特徴とする。
請求項３に記載の装飾用シートは、樹脂層の装飾面に装飾用粘着層が設けられるため、使用者等が粘着剤等を塗布することなく装飾部材を取り付けることができる。
【００１２】
請求項４に記載の発明は、請求項３の構成に加えて、前記装飾用粘着層は、両面に粘着剤が塗布された不織布材が前記樹脂層に固定されて形成されることを特徴とする。
請求項４に記載の装飾用シートの装飾用粘着層は、樹脂と比較して伸縮性の小さい不織布材を有するものであり、装飾用粘着層は樹脂層に比べて伸縮変形が小さいため、装飾用粘着層を樹脂層に貼り合せる際に伸縮変形を抑えるなどの煩雑な作業が抑えられる。
また、請求項４に記載の装飾用シートの装飾用粘着層は不織布材を有するため、樹脂層のみの場合と比較して装飾用シートの全体としての伸縮性が制限される。
【００１３】
請求項５に記載の発明は、請求項１ないし請求項４の何れか１項に記載の構成に加えて、前記樹脂層は、オレフィン系樹脂、スチレン系樹脂、ポリウレタン系樹脂、ポリスチレン系樹脂、ポリエステル系樹脂、アクリル系樹脂、ビニル系樹脂、及びナイロン系樹脂の中から選択される１種を含み、前記粘着層は、シリコーン系粘着剤、ウレタン系粘着剤、アクリル系粘着剤の中から選択される１種、又は、ゲル化剤を用いて固化された粘着剤を含むことを特徴とする。なお、前記粘着層は、例えば、安全に人の皮膚に貼り付けて使用できるようにＩＳＯ
１０９９３に基づく生物学的な安全性を有していることが好ましい。
【００１４】
請求項６に記載の発明は、請求項１ないし請求項５の何れか１項に記載の構成に加えて、前記樹脂層の厚さ寸法は、７５μｍから２００μｍの範囲で設定され、前記粘着層の厚さ寸法は、７５μｍから１５０μｍの範囲で設定され、前記樹脂層の厚さ寸法と前記粘着層の厚さ寸法の和は、１５０μｍから３５０μｍの範囲で設定されることを特徴とする。
【発明の効果】
【００１５】
請求項１に記載の発明は、装飾用シートの変形が制限されるため、装飾用シートに付与されたインクによる文字や図柄、ラインストーンやいわゆるグリッターによるデザインの形状を良好に保持しうる。
【００１６】
また、請求項１に記載の装飾用シートは、接着面で固着しない粘着性を利用しているため、人の皮膚（例えば顔の皮膚）を対象とした引き剥がしを容易に行える。また、皮膚から引き剥がした後も粘着層の粘着性を維持しうる。
【００１７】
また、請求項１に記載の装飾用シートは、従来技術におけるような樹脂層の煩雑な貼り合せの工程を必要としないため、製造コストを低減できる。
【００１８】
従って、請求項１に記載の装飾用シートによれば、製造コストの低減を図りつつ、人の皮膚を対象とした貼り付けと引き剥がしを良好に行うことができ、かつ、付与された装飾の形状を良好に保持しうる。
【００１９】
請求項２に記載の発明によれば、請求項１の効果に加えて、接着剤やインクなどの定着が良好であることで、例えば、液状接着剤で模様ラインを描き、その上に色のついた粉末（グリッター）などを吹き付けるなどして繊細なデザインを形成可能となる。液状接着剤が乾燥しない間に付着したグリッターを薄く引き伸ばすなどして色の濃淡（グラデーション）も形成可能となる。
【００２０】
請求項３に記載の発明によれば、請求項１の効果に加えて、使用者等が粘着剤等を塗布することなく装飾部材を取り付けることができるため、装飾用シートの使用時の利便性が向上する。
【００２１】
請求項４に記載の発明によれば、請求項３の効果に加えて、樹脂層のみの場合と比較して装飾用シートの全体としての伸縮性が制限されることから、装飾用シートの形状を一層良好に保持しうる。
【００２２】
請求項５に記載の発明によれば、請求項１ないし請求項４の何れか１項に記載の効果を奏する装飾用シートの実現が容易となる。
【００２３】
請求項６に記載の発明によれば、適度な伸縮性を有する厚さ寸法により、装飾用シートの貼り付け部位の身動き制限を抑えつつ装飾用シートの形状の良好な保持が可能となる。
【図面の簡単な説明】
【００２４】
【図１】図１は本発明に係る装飾用シートの第１実施形態を示す図であり、装飾用シートの縦断面図である。
【図２】図２は第１実施形態の装飾用シートの使用例を示す図であり、装飾が付与された装飾用シートの平面図である。
【図３】図３は本発明に係る装飾用シートの第２実施形態を示す図であり、装飾用シートの縦断面図である。
【図４】図４は第２実施形態の装飾用シートの使用例を示す図であり、装飾が付与された装飾用シートの平面図である。
【発明を実施するための形態】
【００２５】
添付図面を参照して、本発明に係る装飾用シートの第１実施形態を詳細に説明する。
本実施形態の装飾用シートは、人の皮膚、例えば頬などの顔の皮膚に貼り付けて身体を装飾するために用いられるものであり、図１に示すように、装飾の付与が可能な装飾面１１を有する単一の樹脂層１２、及び、樹脂層１２の装飾面１１と反対側の面に付着されて、図示しない人の皮膚に対して樹脂層１２を着脱可能に固定する粘着層１３を備えたものである。
【００２６】
樹脂層１２は、装飾用シート１０の適度な柔軟性と剛性を確保する主要な部材となっており、適度な柔軟性及び所定の剛性を有し透明度の高いポリウレタン系樹脂を用いたエラストマーにより構成されている。
【００２７】
柔軟性は、装飾用シート１０を皮膚に張り付けた状態で使用者の動きに追従して広がり使用者の動きを制限することなく、また、装飾用シート１０の変形によって装飾用シート１０が皮膚から脱落することを防止するために確保される。
【００２８】
剛性は、樹脂層１２の装飾面１１に付与された装飾（文字や図柄等）の本来の形状を保持して皮膚に貼り付けることができ、また、皮膚への貼り付けと引き剥がしを１０回以上繰り返しても破れない程度に確保される。
【００２９】
樹脂層１２にあっては、上述の柔軟性と剛性を確保する観点から、２００μｍの厚さ寸法が設定されている。樹脂層１２は、厚さ寸法２ｍｍの試験片を用いたＪＩＳ
Ｋ７３１１に基づく試験値で、硬度８０〜９８（ＪＩＳ Ａ）、引張強度３５〜６０ＭＰａ、伸び３００〜７００％であることが、上述の柔軟性と剛性の観点から好ましい。特に、樹脂層１２は、厚さ寸法２ｍｍの試験片を用いたＪＩＳ
Ｋ７３１１に基づく試験値で、硬度９２（ＪＩＳ Ａ）、引張強度５０ＭＰａ、伸び５００％であることが好ましい。
【００３０】
樹脂層１２の装飾面１１は、樹脂層１２のそれ自体と比較して印刷用インクや液状接着剤をはじきにくい表面処理が易接着処理として施されている。
【００３１】
装飾用シート１０の粘着層１３は、ＩＳＯ １０９９３に基づく生物学的な安全性を有するシリコーン系樹脂から成り、人の頬などの顔の皮膚に対する１０回以上の張り付けと引き剥がしの操作を繰り返すことが可能な持続性を有するものが用いられている。
【００３２】
粘着層１３は、樹脂層１２の装飾面１１と反対側の面に設けられており、装飾用シート１０を皮膚に着脱可能に固定するための皮膚貼付面１４が形成されている。
【００３３】
装飾用シート１０は、図１に示すように、粘着層１３への貼り付け又はその引き剥がしが可能な内側剥離紙１５と共に使用される。内側剥離紙１５は、装飾用シート１０を使用しないときに、粘着層１３の皮膚貼付面１４に貼り付けられる。内側剥離紙１５により、皮膚貼付面１４への埃などの付着が防止され、皮膚貼付面１４の粘着力が維持される。
【００３４】
図２は第１実施形態の装飾用シート１０の使用例を示す図であり、装飾が付与された装飾用シート１０の平面図である。
図２に示す「Ａ」の装飾文字１７は、以下のようにして形成される。
【００３５】
先ず、装飾用シート１０の装飾面１１に液状の接着剤を用いて、「Ａ」の形状の装飾ライン１６を描く。
次いで、装飾面１１上に形成された「Ａ」の装飾ライン１６を含む領域に色の付いた小さな粉末であるグリッター２６を載せる。
【００３６】
このとき、グリッター２６は、「Ａ」の装飾ライン１６に沿って付着するが、装飾ライン１６が形成されていない領域には付着しない。接着剤が乾燥すると、装飾ライン１６にのみグリッター２６が定着し、図２の「Ａ」の装飾文字１７が完成する。
【００３７】
最後に、粘着層１３から図１に示す内側剥離紙１５を引き剥がして、装飾用シート１０（樹脂層１２）を人の顔などの皮膚に貼りつける。このとき、装飾用シート１０は樹脂層１２が所定の剛性を有しているため、装飾用シート１０を皮膚に張り付ける際の変形が制限され、皮膚に張り付けた状態の装飾文字１７と皮膚に張り付ける前の装飾文字１７との同一性を保ちうる。
【００３８】
次に効果を説明する。
本実施形態の装飾用シート１０は、所定の剛性を有する樹脂層１２を備えていることから、装飾用シート１０の変形が制限される。従って、装飾用シート１０に付与されたグリッター２６による装飾文字１７の形状を良好に保持し使用できる。
【００３９】
また、装飾用シート１０は、粘着層１３を備えた構成であることから、液状接着剤と異なり接着面での固着がない。従って、人の皮膚を対象とした引き剥がしを容易に行える。また、皮膚から引き剥がした後も粘着層１３の粘着性を維持しうる。
また、装飾用シート１０は、単一の樹脂層１２のみ備えた構成であり、樹脂層１２の煩雑な貼り合せの工程を用いることなく製造されるものである。従って、従来の装飾用シートのように樹脂層の煩雑な貼り合せの工程を必要とせず、製造コストを低減できる。
【００４０】
さらに、装飾用シート１０の樹脂層１２は、透明度の高いポリウレタン系樹脂を用いて構成されているため、図２に示すような装飾文字１７の周囲を残した四角形状の状態で皮膚に貼り付けたとしても、樹脂層１２は目立たず自然な見栄えとなる。
そして、装飾用シート１０の粘着層１３は、ＩＳＯ １０９９３に基づく生物学的な安全性を有しているため、確実な安全性を確保しつつ顔などの人の皮膚に貼り付けて使用できるようになっている。
【００４１】
（第２実施形態）
図３は本発明に係る装飾用シートの第２実施形態を示す図であり、装飾用シートの縦断面図である。第１実施形態の装飾用シート１０と同様の構成については、同一の符号を付して説明を省略する。
【００４２】
本実施形態の装飾用シート３０における樹脂層１２の装飾面１１に、装飾を保持しうる装飾用粘着層１８が設けられている。
装飾用粘着層１８は、樹脂よりも剛性の大きい不織布材１９を有し、不織布材１９の裏面において不織布材１９を樹脂層１２に貼り付けて固定する内側粘着剤２０と、不織布材１９の表面において装飾を保持可能な外側粘着剤２１とが塗布されて構成されている。内側粘着剤２０及び外側粘着剤２１は、何れもアクリル系樹脂から成る。
【００４３】
装飾用粘着層１８の外側粘着剤２１は、色が付された数ミリメートルから１センチメートル程度の樹脂粒であるラインストーンなどを保持しうる粘着力を有しており、装飾保持面２２を形成している。
【００４４】
装飾用シート３０を使用しないとき、装飾用粘着層１８の装飾保持面２２に外側剥離紙２３が貼り付けられている。この外側剥離紙２３により、装飾保持面２２への埃などの付着が防止され、装飾保持面２２の粘着力が維持される。装飾用粘着層１８として、公知の両面テープを用いることができる。
【００４５】
図４は第２実施形態の装飾用シートの使用例を示す図であり、装飾が付与された装飾用シートの平面図である。
図４に示す「Ｂ」の装飾文字２５は、以下のようにして形成される。
【００４６】
先ず、装飾用粘着層１８に貼り付けられた外側剥離紙２３を引き剥がし、装飾保持面２２を表出させる。表出した装飾用粘着層１８の装飾保持面２２に色と大きさの異なる種々のラインストーン２４を「Ｂ」の形状に配置する。配置されたラインストーン２４は、装飾保持面２２の粘着力により保持される。
【００４７】
次いで、ラインストーン２４が配置されても未だ表出して視認されうる装飾保持面２２の随所に、糊殺しや外観品質の向上のためにグリッター２６を載せる。グリッター２６は、装飾保持面２２の粘着力により定着する。
【００４８】
最後に、ラインストーン２４で形成された「Ｂ」の文字を刳り貫くようにして、装飾用シート３０を切り取ることにより、図４に示す「Ｂ」の装飾文字２５が完成する。
このように作成された装飾用シート３０の粘着層１３から図３に示す内側剥離紙１５を引き剥がし、装飾用シート３０を皮膚に貼りつける。
【００４９】
次に効果を説明する。
本実施形態の装飾用シート３０は、所定の剛性を有する樹脂層１２に加えて、樹脂層１２よりも伸縮性の低い不織布材１９を有している。このため、装飾用シート３０は、第１実施形態の装飾用シート１０に比べて、特に面方向の剛性が高い。従って、装飾用シート３０は、第１実施形態の装飾用シート１０に比べて、装飾文字２５の形状を良好に保持しながら人の皮膚に貼りつけ、また、良好な状態を維持して繰り返しの使用が可能となる。
【００５０】
また、装飾用粘着層１８を備えているため、接着剤や粘着剤を別途塗布することなく、装飾用粘着層１８から外側剥離紙２３を引き剥がすのみで、装飾文字２５を形成することができ、使用時の利便性が高いものとなる。
【００５１】
以上、本発明に係る装飾用シートを第１実施形態及び第２実施形態に基づき説明してきたが、具体的な構成については、本実施形態に限られるものではなく、特許請求の範囲に記載の発明の要旨を逸脱しない限り変更や追加等は許容される。
【００５２】
例えば、各実施形態の装飾用シートの樹脂層は、ポリウレタン系樹脂を用いて構成する例を示したが、樹脂層は、オレフィン系樹脂、スチレン系樹脂、ポリスチレン系樹脂、ポリエステル系樹脂、アクリル系樹脂、ビニル系樹脂、及びナイロン系樹脂などから構成されるエラストマーであればよい。
【００５３】
また、各実施形態の装飾用シートの粘着層は、シリコーン系粘着剤で構成する例を示したが、ウレタン系粘着剤、アクリル系粘着剤の中から選択しうるし、水又はオイルが基材となりゲル化剤を用いて粘性が高められた粘着剤も選択しうる。
【００５４】
第２実施形態の内側粘着剤及び外側粘着剤は、何れもアクリル系樹脂で構成する例を示したが、ゴム系粘着剤を適用してもよい。
【００５５】
装飾用シートの変形制限や使用者の動きやすさ等の観点から、樹脂層の厚さ寸法は、７５μｍから２００μｍの範囲とし、粘着層の厚さ寸法は、７５μｍから１５０μｍの範囲とし、樹脂層の厚さ寸法と粘着層の厚さ寸法の和は、１５０μｍから３５０μｍの範囲とするのが好ましい。
【００５６】
各実施形態では装飾として文字を付す例を示したが、勿論、動植物の形状や模様など、文字以外の装飾を形成することもできる。
各実施形態の装飾用シートは、上記の装飾が施された人の皮膚に貼るシールであるフェイスシールとして用いることができる。
また、各実施形態ではグリッターやラインストーンを用いて装飾を付す例を示したが、勿論、印刷やその他の手法により装飾を付すものであってもよい。
【産業上の利用可能性】
【００５７】
本発明は、人の皮膚に貼り付けて使用される装飾用シートであれば広く適用できる。
【符号の説明】
【００５８】
１０，３０  装飾用シート
１１  装飾面
１２  樹脂層
１３  粘着層
１４  皮膚貼付面
１５  内側剥離紙
１６  装飾ライン
１７，２５  装飾文字
１８  装飾用粘着層
１９  不織布材
２０  内側粘着剤
２１  外側粘着剤
２２  装飾物保持面
２３  外側剥離紙
２４  ラインストーン
２６  グリッター